【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とするハロケトン冷媒または伝熱流体組成物。
【請求項２】
遠心圧縮機を用いる冷凍またはエアコン機器での使用に好適な冷媒または伝熱流体組成物であって、
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とする組成物。
【請求項３】
多段もしくは遠心圧縮機またはシングル・スラブ／シングル・パス式熱交換器を用いる、冷凍またはエアコン機器での使用に好適な冷媒または伝熱流体組成物であって、
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とする組成物。
【請求項４】
式Ｒ３ＣＯＲ４（式中、Ｒ３およびＲ４は、水素、塩素、または臭素を任意選択的に含有してもよい、直鎖または分枝鎖の、飽和または不飽和の、脂肪族または脂環式フッ素化炭素基から独立して選択され、そしてＲ３およびＲ４は任意選択的に一緒になって、環式ハロケトン環を形成してもよい）で表されるハロケトン、および前記式で表される前記ハロケトンの組合せであることを特徴とする冷媒または伝熱流体組成物。
【手続補正２】
【補正対象書類名】明細書
【補正対象項目名】０１３８
【補正方法】変更
【補正の内容】
【０１３８】
データは、本発明の組成物がＣＦＣ−１１３に類似のエバポレーターおよび凝縮器圧力を有することを示す。幾つかの組成物はまた、ＣＦＣ−１１３より高いキャパシティまたはエネルギー効率（ＣＯＰ）を有する。
本発明は、以下の態様を含む。
（態様１）
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とするハロケトン冷媒または伝熱流体組成物。
（態様２）
遠心圧縮機を用いる冷凍またはエアコン機器での使用に好適な冷媒または伝熱流体組成物であって、
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とする組成物。
（態様３）
多段もしくは遠心圧縮機またはシングル・スラブ／シングル・パス式熱交換器を用いる、冷凍またはエアコン機器での使用に好適な冷媒または伝熱流体組成物であって、
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、
２−クロロ−１，１，１，４，４，５，５，５−オクタフルオロ−２−（トリフルオロメチル）−３−ペンタノン、
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、
ＣＢｒＦ２ＣＦ２Ｃ（Ｏ）ＣＣｌＦＣＦ３、およびそれらの組合せ
よりなる群から選択されることを特徴とする組成物。
（態様４）
２段遠心圧縮機を用いる冷凍またはエアコン機器での使用に好適であることを特徴とする上記態様３に記載の組成物。
（態様５）
式Ｒ３ＣＯＲ４（式中、Ｒ３およびＲ４は、水素、塩素、または臭素を任意選択的に含有してもよい、直鎖または分枝鎖の、飽和または不飽和の、脂肪族または脂環式フッ素化炭素基から独立して選択され、そしてＲ３およびＲ４は任意選択的に一緒になって、環式ハロケトン環を形成してもよい）で表されるハロケトン、および前記式で表される前記ハロケトンの組合せであることを特徴とする冷媒または伝熱流体組成物。
（態様６）
１，１，１，２，２，４，５，５，５−ノナフルオロ−４−（トリフルオロメチル）−３−ペンタノン、
１，１，１，２，４，５，５，５−オクタフルオロ−２，４−ビス（トリフルオロメチル）−３−ペンタノン、
１，１，１，２，４，４，５，５−オクタフルオロ−２−（トリフルオロメチル）−３−ペンタノン、
１，１，１，２，４，４，５，５，６，６，６−ウンデカフルオロ−２−（トリフルオロメチル）−３−ヘキサノン、
１，１，２，２，４，５，５，５−オクタフルオロ−１−（トリフルオロメトキシ）−４−（トリフルオロメチル）−３−ペンタノン、
１，１，１，３，４，４，４−ヘプタフルオロ−３−（トリフルオロメチル）−２−ブタノン、
１，１，１，２，２，５，５，５−オクタフルオロ−４−（トリフルオロメチル）−３−ペンタノン、および
２−クロロ−１，１，１，４，４，５，５，５−オクタフルオロ−２−（トリフルオロメチル）−３−ペンタノン
よりなる群から選択されることを特徴とする上記態様５に記載の組成物。
（態様７）
モノブロモパーフルオロケトン、モノヒドロモノブロモパーフルオロケトン、（パーフルオロアルコキシ）モノブロモパーフルオロケトン、（フルオロアルコキシ）モノブロモパーフルオロケトン、およびモノクロロモノブロモパーフルオロケトンよりなる群から選択される少なくとも１種の臭素化ハロケトンを含むことを特徴とする上記態様５に記載の組成物。
（態様８）
ＣＦ３Ｃ（Ｏ）ＣＢｒＦＣＦ２ＣＦ３、
ＣＦ３Ｃ（Ｏ）ＣＦ２ＣＦ２ＣＢｒＦ２、
ＣＢｒＦ２Ｃ（Ｏ）ＣＦ（ＣＦ３）２、
ＣＦ３Ｃ（Ｏ）ＣＢｒ（ＣＦ３）２、
ＣＢｒＦ２ＣＦ２Ｃ（Ｏ）ＣＦ２ＣＦ３、
ＣＦ３ＣＢｒＦＣ（Ｏ）ＣＦ２ＣＦ３、
ＣＦ３ＣＢｒＦＣ（Ｏ）ＣＦ２ＣＦ２ＣＦ３、
ＣＦ３ＣＦ２Ｃ（Ｏ）ＣＢｒＦＣＦ２ＣＦ３、
ＣＦ３ＣＦ２Ｃ（Ｏ）ＣＦ２ＣＦ２ＣＢｒＦ２、
ＣＦ３Ｃ（Ｏ）ＣＢｒ（ＣＦ３）ＣＦ２ＣＦ３、
ＣＦ３Ｃ（Ｏ）ＣＦ（ＣＦ３）ＣＢｒＦＣＦ３、
ＣＦ３Ｃ（Ｏ）ＣＢｒＦＣＦ２ＣＦ２ＣＦ２ＣＦ３、
ＣＦ３Ｃ（Ｏ）ＣＦ２ＣＦ２ＣＦ２ＣＦ２ＣＢｒＦ２、
ＣＦ３ＣＢｒＦＣ（Ｏ）ＣＦ２ＣＦ２ＣＦ２ＣＦ３、
ＣＦ３ＣＦ２Ｃ（Ｏ）ＣＢｒＦＣＦ２ＣＦ２ＣＦ３、
ＣＦ３ＣＦ２Ｃ（Ｏ）ＣＦ２ＣＦ２ＣＦ２ＣＢｒＦ２、
ＣＦ３ＣＦ２ＣＢｒＦＣ（Ｏ）ＣＦ２ＣＦ２ＣＦ３、
ＣＢｒＦ２ＣＦ２Ｃ（Ｏ）ＣＦ（ＣＦ３）ＣＦ２ＣＦ３、
ＣＦ３ＣＢｒＦＣ（Ｏ）ＣＦ（ＣＦ３）ＣＦ２ＣＦ３、
ＣＦ３ＣＦ２Ｃ（Ｏ）ＣＢｒ（ＣＦ３）ＣＦ２ＣＦ３、
ＣＦ３ＣＦ２Ｃ（Ｏ）ＣＦ（ＣＢｒＦ２）ＣＦ２ＣＦ３、
ＣＢｒＦ２ＣＦ２ＣＦ２Ｃ（Ｏ）ＣＦ（ＣＦ３）２、
ＣＦ３ＣＦ２ＣＢｒＦＣ（Ｏ）ＣＦ（ＣＦ３）２、
ＣＦ３ＣＦ２ＣＦ２Ｃ（Ｏ）ＣＢｒ（ＣＦ３）２、
（ＣＦ３）２ＣＢｒＣ（Ｏ）ＣＦ（ＣＦ３）２、
ＣＦ３ＣＢｒＦＣＦ２Ｃ（Ｏ）ＣＦ（ＣＦ３）２、
ＣＨＦ２ＣＦ２Ｃ（Ｏ）ＣＢｒ（ＣＦ３）２、
（ＣＦ３）２ＣＨＣ（Ｏ）ＣＢｒ（ＣＦ３）２、
ＣＨＦ２ＣＦ２Ｃ（Ｏ）ＣＢｒＦＣＦ３、
（ＣＦ３）２ＣＨＣ（Ｏ）ＣＢｒＦＣＦ３、
（ＣＦ３）２ＣＨＣ（Ｏ）ＣＢｒＦ２、
ＣＢｒＦ２ＣＦ２Ｃ（Ｏ）ＣＨ（ＣＦ３）２、
ＣＢｒＦ２Ｃ（Ｏ）ＣＦ（ＣＦ３）ＯＣＦ３、
ＣＢｒＦ２ＣＦ２Ｃ（Ｏ）ＣＦ（ＣＦ３）ＯＣＦ３、
ＣＢｒＦ２ＣＦ２ＣＦ２Ｃ（Ｏ）ＣＦ（ＣＦ３）ＯＣＦ３、
ＣＢｒＦ２Ｃ（Ｏ）ＣＦ（ＣＦ３）ＯＣ２Ｆ５、
ＣＢｒＦ２ＣＦ２Ｃ（Ｏ）ＣＦ（ＣＦ３）ＯＣ２Ｆ５、
ＣＢｒＦ２Ｃ（Ｏ）ＣＦ（ＣＦ３）ＯＣＦ２Ｃ２Ｆ５、
ＣＢｒＦ２ＣＦ２Ｃ（Ｏ）ＣＦ（ＣＦ３）ＯＣＦ２Ｃ２Ｆ５、
ＣＢｒＦ２Ｃ（Ｏ）ＣＦ（ＣＦ３）ＯＣＦ（ＣＦ３）２、
ＣＢｒＦ２ＣＦ２Ｃ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ（ＣＦ３）２、
ＣＦ３ＣＢｒＦＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
ＣＦ３ＣＢｒＦＣ（Ｏ）ＣＦ（ＣＦ３）ＯＣＦ３、
（ＣＦ３）２ＣＢｒＣ（Ｏ）ＣＦ（ＣＦ３）ＯＣＦ３、
ＣＦ３ＣＢｒＦＣ（Ｏ）ＣＦ（ＣＦ３）ＯＣ２Ｆ５、
（ＣＦ３）２ＣＢｒＣ（Ｏ）ＣＦ（ＣＦ３）ＯＣ２Ｆ５、
ＣＦ３ＣＢｒＦＣ（Ｏ）ＣＦ（ＣＦ３）ＯＣＦ２Ｃ２Ｆ５、
ＣＦ３ＣＢｒＦＣ（Ｏ）ＣＦ（ＣＦ３）ＯＣＦ（ＣＦ３）２、
ＣＢｒＦ２Ｃ（Ｏ）ＣＦ（ＯＣＦ２ＣＨＦ２）ＣＦ３、
ＣＢｒＦ２Ｃ（Ｏ）ＣＨ（ＯＣＦ２ＣＨＦ２）ＣＦ３、
ＣＢｒＦ２Ｃ（Ｏ）ＣＦ（ＯＣＨ３）ＣＦ３、
ＣＢｒＦ２Ｃ（Ｏ）ＣＦ（ＣＦ２ＯＣＨ３）ＣＦ３、
ＣＣｌＦ２ＣＦＢｒＣ（Ｏ）ＣＦ２ＣＦ３、
ＣＢｒＦ２ＣＦＣｌＣ（Ｏ）ＣＦ２ＣＦ３、
ＣＣｌＦ２ＣＦＢｒＣ（Ｏ）ＣＦ（ＣＦ３）２、
ＣＢｒＦ２ＣＦＣｌＣ（Ｏ）ＣＦ（ＣＦ３）２、
ＣＣｌＦ２ＣＦＢｒＣ（Ｏ）ＣＦ（ＣＦ３）（Ｃ２Ｆ５）、
ＣＢｒＦ２ＣＦＣｌＣ（Ｏ）ＣＦ（ＣＦ３）（Ｃ２Ｆ５）、
ＣＣｌＦ２Ｃ（Ｏ）ＣＢｒ（ＣＦ３）２、
ＣＣｌＦ２ＣＦ２Ｃ（Ｏ）ＣＢｒ（ＣＦ３）２、
ＣＦ３ＣＣｌＦＣ（Ｏ）ＣＢｒ（ＣＦ３）２、
ＣＣｌＦ２Ｃ（Ｏ）ＣＢｒＦＣＦ３、
ＣＣｌＦ２ＣＦ２（Ｏ）ＣＣＢｒＦＣＦ３、
ＣＦ３ＣＣｌＦＣ（Ｏ）ＣＢｒＦＣＦ３、
ＣＢｒＦ２Ｃ（Ｏ）ＣＣｌ（ＣＦ３）２、
ＣＢｒＦ２ＣＦ２Ｃ（Ｏ）ＣＣｌ（ＣＦ３）２、
ＣＢｒＦ２Ｃ（Ｏ）ＣＣｌＦＣＦ３、および
ＣＢｒＦ２ＣＦ２Ｃ（Ｏ）ＣＣｌＦＣＦ３
よりなる群から選択される少なくとも１つを含むことを特徴とする上記態様７に記載の組成物。
（態様９）
冷却される物体の近傍で上記態様１〜５のいずれか一つに記載の組成物を蒸発させ、その後に、前記組成物を凝縮させる工程を含むことを特徴とする冷却をもたらすための方法。
（態様１０）
加熱される物体の近傍で上記態様１〜５のいずれか一つに記載の組成物を凝縮させ、その後に、前記組成物を蒸発させる工程を含むことを特徴とする熱をもたらすための方法。
（態様１１）
前記組成物を熱源からヒートシンクへ移動させる工程を含むことを特徴とする、伝熱のための上記態様１〜５のいずれか一つに記載の組成物の使用方法。
（態様１２）
ナフタルイミド、ペリレン、クマリン、アントラセン、フェナントラセン、キサンテン、チオキサンテン、ナフトキサンテン、フルオレセイン、前記染料の誘導体、およびそれらの組合せよりなる群から選択される紫外線蛍光染料をさらに含むことを特徴とする上記態様１に記載の組成物。
（態様１３）
ナフタルイミド、ペリレン、クマリン、アントラセン、フェナントラセン、キサンテン、チオキサンテン、ナフトキサンテン、フルオレセイン、前記染料の誘導体およびそれらの組合せよりなる群から選択される少なくとも１つの紫外線蛍光染料をさらに含むことを特徴とする上記態様２〜５のいずれか一つに記載の組成物。
（態様１４）
炭化水素、ジメチルエーテル、ポリオキシアルキレングリコールエーテル、アミド、ケトン、ニトリル、クロロカーボン、エステル、ラクトン、アリールエーテル、フルオロエーテル、および１，１，１−トリフルオロアルカンよりなる群から選択される少なくとも１つの可溶化剤をさらに含むことを特徴とする上記態様１２に記載の組成物。
（態様１５）
前記可溶化剤が、
ａ）式Ｒ１［（ＯＲ２）ｘＯＲ３］ｙ（式中、ｘが１〜３の整数であり、ｙが１〜４の整数であり、Ｒ１が水素および１〜６個の炭素原子とｙ個の結合部位とを有する脂肪族炭化水素基から選択され、Ｒ２が２〜４個の炭素原子を有する脂肪族ヒドロカルビレン基から選択され、Ｒ３が水素、ならびに１〜６個の炭素原子を有する脂肪族および脂環式炭化水素基から選択され、Ｒ１およびＲ３の少なくとも１つが前記炭化水素基から選択される）で表され、約１００〜約３００原子質量単位の分子量を有するポリオキシアルキレングリコールエーテル、
ｂ）式Ｒ１ＣＯＮＲ２Ｒ３およびｃｙｃｌｏ−［Ｒ４ＣＯＮ（Ｒ５）−］（式中、Ｒ１、Ｒ２、Ｒ３およびＲ５が１〜１２個の炭素原子を有する脂肪族および脂環式炭化水素基、ならびに６〜１２個の炭素原子を有する多くても１つの芳香族基から独立して選択され、Ｒ４が３〜１２個の炭素原子を有する脂肪族ヒドロカルビレン基から選択される）で表され、約１００〜約３００原子質量単位の分子量を有するアミド、
ｃ）式Ｒ１ＣＯＲ２（式中、Ｒ１およびＲ２が１〜１２個の炭素原子を有する脂肪族、脂環式およびアリール炭化水素基から独立して選択される）で表され、約７０〜約３００原子質量単位の分子量を有するケトン、
ｄ）式Ｒ１ＣＮ（式中、Ｒ１が５〜１２個の炭素原子を有する脂肪族、脂環式またはアリール炭化水素基から選択される）で表され、約９０〜約２００原子質量単位の分子量を有するニトリル、
ｅ）式ＲＣｌｘ（式中、ｘが整数１または２から選択され、Ｒが１〜１２個の炭素原子を有する脂肪族および脂環式炭化水素基から選択される）で表され、約１００〜約２００原子質量単位の分子量を有するクロロカーボン、
ｆ）式Ｒ１ＯＲ２（式中、Ｒ１が６〜１２個の炭素原子を有するアリール炭化水素基から選択され、Ｒ２が１〜４個の炭素原子を有する脂肪族炭化水素基から選択される）で表され、約１００〜約１５０原子質量単位の分子量を有するアリールエーテル、
ｇ）式ＣＦ３Ｒ１（式中、Ｒ１が約５〜約１５個の炭素原子を有する脂肪族および脂環式炭化水素基から選択される）で表される１，１，１−トリフルオロアルカン、
ｉ）式Ｒ１ＯＣＦ２ＣＦ２Ｈ（式中、Ｒ１が約５〜約１５個の炭素原子を有する脂肪族および脂環式炭化水素基から選択される）で表されるフルオロエーテル、および
ｊ）構造［Ｂ］、［Ｃ］、および［Ｄ］
【化１】
2007526384.tif 000001
（ここでＲ１〜Ｒ８が独立して水素、線状、分枝、環式、二環式、飽和および不飽和のヒドロカルビル基から選択される）で表され、分子量が約１００〜約３００原子質量単位であるラクトン、ならびに
ｋ）一般式Ｒ１ＣＯ２Ｒ２（式中、Ｒ１およびＲ２が線状および環式の、飽和および不飽和の、アルキルおよびアリール基から独立して選択される）で表され、約８０〜約５５０原子質量単位の分子量を有するエステル、
よりなる群から選択されることを特徴とする上記態様１４に記載の組成物。
（態様１６）
（ａ）（ｉ）紫外線蛍光染料を、可溶化剤の存在下に伝熱流体の冷媒組成物に溶解させ、該組合せを前記圧縮冷凍もしくはエアコン機器へ導入することによって、または
（ｉｉ）可溶化剤とＵＶ蛍光染料とを組み合わせ、前記組合せを冷媒および／または伝熱流体を含有する冷凍もしくはエアコン機器へ導入することによって
組成物を圧縮冷凍またはエアコン機器へ導入する工程を含むことを特徴とする上記態様１２または１４に記載の組成物を使用する方法。
（態様１７）
圧縮冷凍またはエアコン機器における上記態様１２または１４に記載の組成物を使用する方法であって、
前記組成物を前記機器に提供する工程と、前記機器の近傍で前記組成物を検出するための好適な手段を提供する工程とを含むことを特徴とする方法。
（態様１８）
（ｉ）冷却される物体の近傍で前記組成物を蒸発させ、その後に、前記組成物を凝縮させることによって冷却をもたらす工程、または
（ｉｉ）加熱される物体の近傍で前記組成物を凝縮させ、その後に、前記組成物を蒸発させることによって熱をもたらす工程
を含むことを特徴とする上記態様１２または１４に記載の組成物を使用する方法。
（態様１９）
臭気マスキング剤、香料、または熱安定剤をさらに含むことを特徴とする上記態様１１に記載の組成物。
（態様２０）
前記熱安定剤がニトロメタンであることを特徴とする上記態様１８に記載の組成物。